(57)【要約】【課題】  終話音信号を受信したときに、ＰＨＳ端末２０に対して終話操作することなく、スピーカ２６から終話音が拡声するのを防止すること。【解決手段】  ＰＨＳ端末２０で受信した音声信号を増幅しスピーカ２６で拡声する電話拡声装置において、ＰＨＳ端末２０による受信音声信号のスピーカ２６側への伝送路に、受信音声信号が終話音信号のときにミュートし、終話音信号以外の音声信号のときに通過させる終話音ミュート器３０を挿入する。終話音ミュート器３０を、アナログスイッチ４２、終話音周波数検出部４６及びスイッチ制御部４８で構成して、構成を簡単にする。【選択図】  図１
2005260882.tif 000002
【特許請求の範囲】
【請求項１】
電話機（２０）で受信した音声信号を増幅しスピーカ（２６）で拡声する電話拡声装置であって、電話機（２０）による受信音声信号のスピーカ（２６）側への伝送路に、受信音声信号が終話音信号のときにはミュートし、受信音声信号が終話音信号以外の音声信号のときには通過させる終話音ミュート器（３０）を挿入したことを特徴とする電話拡声装置。
【請求項２】
終話音ミュート器（３０）が、電話機（２０）による受信音声信号のスピーカ（２６）側への伝送路に挿入されたアナログスイッチ（４２）と、電話機（２０）による受信音声信号が終話音信号と同じ周波数であるか否かを検出する終話音周波数検出部（４６）と、終話音周波数検出部（４６）の検出信号に応じてアナログスイッチ（４２）のオン、オフを制御するスイッチ制御部（４８）とからなることを特徴とする請求項１記載の電話拡声装置。
【請求項３】
終話音ミュート器（３０）が、電話機（２０）による受信音声信号の信号レベルを調整して出力する入力調整部（３６）と、入力調整部（３６）の出力信号を増幅してアナログスイッチ（４２）へ伝送する第１増幅部（３８）と、入力調整部（３６）の出力信号を増幅して終話音周波数検出部（４６）へ伝送する第２増幅部（４０）と、アナログスイッチ（４２）の出力側から出力する信号の信号レベルを調整してスピーカ（２６）側へ伝送する出力調整部（４４）とを具備したことを特徴とする請求項２記載の電話拡声装置。
【請求項４】
終話音ミュート器（３０）が、アナログスイッチ（４２）、終話音周波数検出部（４６）及びスイッチ制御部（４８）を単一の筺体内に収容してなることを特徴とする請求項２記載の電話拡声装置。
【請求項５】
終話音ミュート器（３０）が、入力調整部（３６）、第１増幅部（３８）、第２増幅部（４０）、アナログスイッチ（４２）、終話音周波数検出部（４６）、スイッチ制御部（４８）及び出力調整部（４４）を単一の筺体内に収容してなることを特徴とする請求項３記載の電話拡声装置。
【請求項６】
電話機（２０）が受信音声信号出力用のイヤフォン端子を有する簡易型携帯電話機であることを特徴とする請求項１、２、３、４又は５記載の電話拡声装置。
【発明の詳細な説明】
【技術分野】
【０００１】
本発明は、電話機（例えば自動受信可能な電話機）によって相手側電話機から送信された音声信号を受信したときに、この受信音声信号を増幅してスピーカへ伝送し、受信音声信号に対応した音を拡声する電話拡声装置に関するものである。
【背景技術】
【０００２】
一般に、電話拡声装置は、大型のレジャー施設や各種のイベント会場等において業務連絡用拡声装置として使用されている。
従来、電話拡声装置は、例えば図５に示すように、ＰＨＳ（パーソナルハンディフォンシステム）端末２０、増幅器２４及びスピーカ２６で構成され、これらが大型のレジャー施設内や各種のイベント会場内などに設置された休憩室、食堂、事務室、管理室等の建物２２の所定場所に取り付けられていた。
【０００３】
そして、レジャー施設内やイベント会場内で事故が発生した場合、図６に示すような処理が行われていた。
すなわち、事故発生現場近くの管理要員１１により、ＰＨＳ端末１（図６では単に端末１と表示する。以下同様。）からトランシーバ機能を用いてＰＨＳ端末２０へ呼出（発呼）があると、ＰＨＳ端末２０が自動受信機能によって自動受信する。ついで、管理要員１１によりＰＨＳ端末１からＰＨＳ端末２０側へ所定の業務連絡がなされると、その連絡内容がスピーカ２６で拡声され、建物２２内にいる所定の管理グループに属する管理要員１２、１３、１４に報知され、これらの管理要員１２、１３、１４によって所定の対処がなされる。
【０００４】
なお、管理要員１１、１２、１３、１４は、それぞれ個別に携帯するＰＨＳ端末２、３、４により基地局を介した送受信機能やトランシーバ機能を用いて相互に業務連絡ができるようになっている。    
【発明の開示】
【発明が解決しようとする課題】
【０００５】
しかしながら、図５に示した従来例では、管理要員１１によるＰＨＳ端末１からＰＨＳ端末２０側への業務連絡が終わり、終話操作がなされると、ＰＨＳ端末２０が終話音信号（例えば４００Ｈｚの信号が０．５秒継続し、これに続いて０．５秒間停止することを連続的に繰り返す断続信号）を受信し、スピーカ２６から「プーッ、プーッ、プーッ、・・・」という終話音が３０秒間も拡声され、騒音になるとともに建物２２内の者に不快感を与えると言う問題があった。
ＰＨＳ端末２０を携帯電話機や固定電話機に置き換えた場合にも、同様の問題点があった。
【０００６】
また、ＰＨＳ端末２０に対して人間が終話操作をすれば「プーッ、プーッ、プーッ、・・・」という終話音は止まるが、ＰＨＳ端末２０に対する終話操作が別途必要になるという問題点があった。
ＰＨＳ端末２０を携帯電話機や固定電話機に置き換えた場合にも、同様の問題点があった。
【０００７】
本発明は、上述の問題点に鑑みなされたもので、相手側電話機からの通話が終了して終話音信号を受信したときに、電話機に対して終話操作することなくスピーカから終話音が拡声するのを防止できる電話拡声装置を提供することを目的にとするものである。
【課題を解決するための手段】
【０００８】
請求項１記載の発明は、電話機で受信した音声信号を増幅しスピーカで拡声する電話拡声装置であって、前記電話機による受信音声信号の前記スピーカ側への伝送路に、前記受信音声信号が終話音信号のときにはミュートし、前記受信音声信号が終話音信号以外の音声信号のときには通過させる終話音ミュート器（終話音ミュート回路）を挿入したことを特徴とする。
【０００９】
上述の構成において、電話機による受信音声信号のスピーカ側への伝送路に終話音ミュート器が挿入されているので、相手側電話機から通話が継続しているときには、受信音声信号が終話音ミュート器でミュートされず対応した音がスピーカから拡声され、通話が終了して終話音信号を受信したときには、終話音ミュート器でミュートされてスピーカから終話音が拡声されない。
【００１０】
請求項２記載の発明は、請求項１記載の発明において、終話音ミュート器が、電話機による受信音声信号のスピーカ側への伝送路に挿入されたアナログスイッチと、前記電話機による受信音声信号が終話音信号と同じ周波数であるか否かを検出する終話音周波数検出部と、前記終話音周波数検出部の検出信号に応じて前記アナログスイッチのオン、オフを制御するスイッチ制御部とからなることを特徴とする。
【００１１】
請求項３記載の発明は、請求項２記載の発明において、終話音ミュート器が、電話機による受信音声信号の信号レベルを調整して出力する入力調整部と、この入力調整部の出力信号を増幅してアナログスイッチへ伝送する第１増幅部と、前記入力調整部の出力信号を増幅して終話音周波数検出部へ伝送する第２増幅部と、前記アナログスイッチの出力側から出力する信号の信号レベルを調整してスピーカ側へ伝送する出力調整部とを具備したことを特徴とする。
【００１２】
請求項４記載の発明は、請求項２記載の発明において、終話音ミュート器がアナログスイッチ、終話音周波数検出部及びスイッチ制御部を単一の筺体内に収容してなることを特徴とする。
【００１３】
請求項５記載の発明は、請求項３記載の発明において、終話音ミュート器が入力調整部、第１増幅部、第２増幅部、アナログスイッチ、終話音周波数検出部、スイッチ制御部及び出力調整部を単一の筺体内に収容してなることを特徴とする。
【００１４】
請求項６記載の発明は、請求項１、２、３、４又は５記載の発明において、電話機が受信音声信号出力用のイヤフォン端子を具備した簡易型携帯電話機であることを特徴とする。
【発明の効果】
【００１５】
請求項１記載の発明は、電話拡声装置において、電話機による受信音声信号のスピーカ側への伝送路に終話音ミュート器を挿入し、相手側電話機からの通話が終了して終話音信号を受信したときに、この終話音信号をミュートしてスピーカから終話音が拡声しないように構成されているので、電話機に対して終話操作することなくスピーカから終話音が拡声するのを防止することができる。
【００１６】
請求項２記載の発明は、請求項１記載の発明において、終話音ミュート器をアナログスイッチ、終話音周波数検出部及びスイッチ制御部で構成したので、終話音ミュート器の構成を簡単にすることができる。
【００１７】
請求項３記載の発明は、請求項２記載の発明において、終話音ミュート器が入力調整部、第１増幅部、第２増幅部及び出力調整部を具備する構成としたので、終話音ミュート器でミュートする終話音信号のレベルと、終話音ミュート器を通過させる終話音信号以外の音声信号（例えば通話信号）のレベルとを、使用環境に応じて適切な値に調整することができる。
【００１８】
請求項４記載の発明は、請求項２記載の発明において、終話音ミュート器がアナログスイッチ、終話音周波数検出部及びスイッチ制御部を単一の筺体内に収容する構成としたので、既存の電話拡声装置に対する終話音ミュート器の取付けを容易にするとともに、終話音ミュート器の取扱いを簡単にすることができる。
【００１９】
請求項５記載の発明は、請求項３記載の発明において、終話音ミュート器が入力調整部、第１増幅部、第２増幅部、アナログスイッチ、終話音周波数検出部、スイッチ制御部及び出力調整部を単一の筺体内に収容する構成としたので、既存の電話拡声装置に対する終話音ミュート器の取付けを容易にするとともに、終話音ミュート器の取扱いを簡単にすることができる。
【００２０】
請求項６記載の発明は、請求項１、２、３、４又は５記載の発明において、電話機を受信音声信号出力用のイヤフォン端子を具備した簡易型携帯電話機とする構成としたので、装置を安価に構成することができるとともに、相手側電話機を出力電力が１０ｍｗ以下の簡易型携帯電話機として周囲の電気機器への影響を少なくすることができる。
【実施例】
【００２１】
図１（ａ）（ｂ）は本発明による電話拡声装置の一実施例を示すもので、図５と同一部分は同一符号で表わす。
図１（ａ）において、１１、１２、１３、１４は大型のレジャー施設や各種のイベント会場内に配属された警備員や整理員などの管理要員を表わし、各管理要員はＰＨＳ（パーソナルハンディフォンシステム）端末１、２、３、４を所持している。
ＰＨＳ端末１、２、３、４は、基地局を介した送受信機能やトランシーバ機能を具備している。
【００２２】
２０はＰＨＳ端末で、基地局を介した自動受信機能やトランシーバ機能（自動受信機能を含む）を有するとともに、受信音声信号出力用のイヤフォン端子（例えばジャック）を具備している。
２２は、大型のレジャー施設や各種のイベント会場内に設置された休憩室、食堂、事務室、管理室等の建物を表わしている。
建物２２の所定場所には、ＰＨＳ端末２０と、このＰＨＳ端末２０の音声信号出力側に接続された終話音ミュート器（終話音ミュート回路）３０と、この終話音ミュート器３０の出力側に順次接続された増幅器（パワーアンプ）２４及びスピーカ２６とが取付けられている。
ＰＨＳ端末２０と終話音ミュート器３０とは、ケーブルの両端に接続された接続端子（例えばプラグ）の一方をＰＨＳ端末２０の受信音声出力用のイヤフォン端子に接続し、他方を終話音ミュート器３０の入力端子３２（例えばジャック）に接続することによって電気的に接続されている。  
終話音ミュート器３０と増幅器２４とは、ケーブルの両端に接続された接続端子（例えばプラグ）の一方を終話音ミュート器３０の出力端子３４（例えばジャック）に接続し、他方を増幅器２４の入力端子（例えばジャック）に接続することによって電気的に接続される。
【００２３】
終話音ミュート器３０は、図１（ｂ）に示すように、入力端子（例えばジャック）３２に接続された入力調整部３６と、この入力調整部３６の出力側に接続された第１、第２増幅部３８、４０と、第１増幅部３８の出力側に順次接続されたアナログスイッチ４２及び出力調整部４４と、第２増幅部４０の出力側に順次接続された終話音周波数検出部４６及びスイッチ制御部４８とで構成され、これらの構成要素は単一の筺体内の同一基板上に実装され、出力調整部４４の出力側は出力端子（例えばジャック）３４に接続されている。
【００２４】
アナログスイッチ４２は、例えばＦＥＴ（電界効果トランジスタ）を主体として構成され、スイッチ制御部４８からの制御信号でオン、オフ制御され、オン時にはアナログの音声信号を通過させ、オフ時にはアナログの音声信号を遮断する。
入力調整部３６、出力調整部４４は、ボリュームを主体として構成され、入力信号の信号レベルを調整して出力する。
第１、第２増幅部３８、４０は入力信号を増幅して出力する。
終話音周波数検出部４６は、４００Ｈｚ検出用のＩＣ（集積回路）を主体として構成され、終話音信号（例えば４００Ｈｚの信号が０．５秒継続し、これに続いて０．５秒間停止することを連続的に繰り返す断続信号）の周波数を検出する。
スイッチ制御部４８は、例えばＲ（抵抗）とＣ（コンデンサ）からなる積分回路と、この積分回路の出力側に接続された整形回路とからなり、終話音周波数検出部４６の検出信号に応じてアナログスイッチ４２のオン、オフを制御する信号をアナログスイッチ４２へ出力する。
【００２５】
つぎに、図１（ａ）（ｂ）の作用を図２〜図４を併用して説明する。
説明の便宜上、大型のレジャー施設内で事故が発生し、この事故に対処すべき管理グループに属する管理要員１２、１３、１４が建物２２内におり、事故現場近くにいた管理要員１１がＰＨＳ端末１を用いて管理要員１２、１３、１４に業務連絡をする場合について説明する。
【００２６】
（１）管理要員１１がＰＨＳ端末１のトランシーバ機能（又は基地局を介した送受信機能）を用いてＰＨＳ端末２０に対して発呼操作をすると、「端末１から端末２０への呼出有か？」がＹＥＳとなり、図３（ｂ）に示すような呼出音信号（４００Ｈｚの音声信号が１秒継続し、これに続いて２秒間停止することを連続的に繰り返す断続信号）がＰＨＳ端末１からＰＨＳ端末２０へ送信され、これを自動受信したＰＨＳ端末２０への通話が可能となる。
なお、図３（ａ）は、ＰＨＳ端末１がＰＨＳ端末２０等へ電話をかけるときにその受話部から「ツー・・・」と聞こえてくる発信音信号（４００Ｈｚの音声信号が継続する信号）を示し、同図（ｃ）は、通話対象の電話（例えばＰＨＳ端末２０）が話中のときに受話部から「プーッ、プーッ、プーッ、・・・」と聞こえてくる話中音信号（４００Ｈｚの信号が０．５秒継続し、これに続いて０．５秒間停止することを連続的に繰り返す断続信号）を示す。
【００２７】
（２）ＰＨＳ端末２０の自動受信により、ＰＨＳ端末１からＰＨＳ端末２０への通話が可能となり、ＰＨＳ端末１からＰＨＳ端末２０に対して事故に対処すべき業務連絡が送信されると、その連絡内容がスピーカ２６で拡声され、建物２２内にいる管理要員１２、１３、１４に報知され、これらの要員１２、１３、１４により所定の対処がなされる。
【００２８】
（３）前記（２）の作用を信号の流れとして説明すると、自動受信によりＰＨＳ端末２０で受信した音声信号が、その受信音声信号出力用のイヤフォン端子及びケーブルを介して終話音ミュート器３０の入力端子３２に入力し、入力調整部３６で信号レベルが調整された後、第１、第２増幅部３８、４０に入力する。
第１増幅部３８で増幅された音声信号は、アナログスイッチ４２を経た後、出力調整部４４で信号レベルが調整され、出力端子３４を経た後に増幅器２４で増幅され、スピーカ２６で拡声される。
入力調整部３６、出力調整部４４による信号レベル調整や第１増幅部３８増幅器２４による増幅によって、アナログスイッチ４２における音声信号の減衰が補償されるとともに、スピーカ２６の設置場所の環境に適した拡声音（業務連絡音）がスピーカ２６から出るように調整される。
第２増幅部４０で増幅された音声信号は終話音周波数検出部４６に入力するが、この入力信号は終話音信号以外の音声信号なので、終話音周波数検出部４６の出力側から検出信号が出力せず、これに応じてスイッチ制御部４８の出力側からもアナログスイッチ４２をオフする制御信号が出力しない。
このため、アナログスイッチ４２はオンを継続し、ＰＨＳ端末２０で受信した音声信号は入力調整部３６、第１増幅部３８、アナログスイッチ４２、出力調整部４４及び増幅器２４を介してスピーカ２６に入力し、ＰＨＳ端末１からＰＨＳ端末２０への連絡内容がスピーカ２６で拡声され、建物２２内の管理要員１２、１３、１４に報知され、これらの要員１２、１３、１４により所定の対処がなされる。
【００２９】
（４）ＰＨＳ端末１からＰＨＳ端末２０への通話が終了すると「終話か？」がＹＥＳとなり、終話音周波数検出部４６により終話音周波数が検出され、スイッチ制御部４８によりアナログスイッチ４２がオフとなり、スピーカ２６で終話音「プーッ、プーッ、プーッ、・・・」が拡声されることはない。
なお、通話が継続しているときは、「終話か？」がＮＯとなり、前記（２）（３）の作用に戻る。
【００３０】
（５）つぎに前記（４）の作用を信号の流れとして説明する。
ＰＨＳ端末１からＰＨＳ端末２０への通話が終了すると、ＰＨＳ端末２０が図４の（イ）に示すような終話音信号を受信し、この終話音信号が入力調整部３６でレベル調整され、第２増幅部４０で増幅され、終話音周波数検出部４６に入力する。
入力調整部３６による信号レベルの調整や第２増幅部４０による増幅によって、終話音周波数検出部４６とスイッチ制御部４８が使用環境に応じてより安定、確実に動作するように調整される。
終話音周波数検出部４６は、終話音信号を検出して図４の（ロ）に示すような終話音周波数検出信号をスイッチ制御部４８へ出力する。
スイッチ制御部４８は、終話音周波数検出部４６の検出信号に基づいて、図４の（ハ）に示すような制御信号をアナログスイッチ４２へ出力し、終話音信号のある期間（例えば３０秒間）、アナログスイッチ４２をオフとして、スピーカ２６で終話音「プーッ、プーッ、プーッ、・・・」が拡声されるのを防止する。
図４の（ハ）に示した制御信号の立上がりの遅れｔ１と立下がりの遅れｔ２は、スイッチ制御部４８を構成する積分回路のＲ（抵抗）とＣ（コンデンサ）による時定数や整形回路の基準レベルの値に依存するものである。
【００３１】
前記実施例では、装置を安価にするとともに、周囲の電気機器への影響を少なくするために、電話機を出力電力が１０ｍＷ以下のＰＨＳ端末とした場合について説明したが本発明はこれに限るものでなく、無線であっても電話機が携帯電話機（例えば出力電力が０、７Ｗ程度の携帯電話機）の場合や電話機が有線の固定電話機の場合についても利用することができる。
【００３２】
前記実施例では、既存の電話拡声装置に対する終話音ミュート器３０の取付けを容易にするとともに、終話音ミュート器３０の取扱いを簡単にするために、終話音ミュート器３０が、入力調整部３６、第１増幅部３８、第２増幅部４０、アナログスイッチ４２、終話音周波数検出部４６、スイッチ制御部４８及び出力調整部４４を単一の筺体内に収容する構成としたが、本発明はこれに限るものではない。
例えば、終話音ミュート器３０が、同一基板上に実装された入力調整部３６、第１増幅部３８、第２増幅部４０、アナログスイッチ４２、終話音周波数検出部４６、スイッチ制御部４８及び出力調整部４４で構成された基板ユニットの場合についても利用することができる。
【００３３】
前記実施例では、終話音ミュート器３０でミュートする終話音信号のレベルと、終話音ミュート器３０を通過させる終話音以外の音声信号のレベルを、使用環境に応じてより適切な値に調整できるようにするために、終話音ミュート器３０が入力調整部３６、第１増幅部３８、第２増幅部４０及び出力調整部４４を具備する構成としたが、本発明はこれに限るものでなく、入力調整部３６、第１増幅部３８、第２増幅部４０及び出力調整部４４を省略した場合についても利用することができる。
【００３４】
前記実施例では、終話音ミュート器３０の構成を簡単にするために、終話音ミュート器３０をアナログスイッチ４２、終話音周波数検出部４６及びスイッチ制御部４８で構成した場合について説明したが、本発明はこれに限るものでなく、電話機で受信した音声信号を増幅しスピーカ２６で拡声する電話拡声装置において、電話機による受信音声信号のスピーカ２６側への伝送路に、受信音声信号が終話音信号のときにはこれをミュートし、受信音声信号が終話音信号以外の音声信号のときには通過させる終話音ミュート器を挿入した場合についても利用することができる。
【図面の簡単な説明】
【００３５】
【図１】本発明による電話拡声装置の一実施例を示すもので、（ａ）は概略構成図、（ｂ）は（ａ）中の終話音ミュート器３０を示すブロック図である。
【図２】図１における事故発生時の処理フローを示すフローチャートである。
【図３】電話機から出力する音声信号の波形を示すもので、（ａ）は発信音信号、（ｂ）は呼出音信号、（ｃ）は話中音信号の各波形図である。
【図４】終話音周波数検出時におけるタイミングチャートを示すもので、（イ）、（ロ）、（ハ）は、図１（ｂ）に（イ）、（ロ）、（ハ）で図示した箇所に現れる終話音信号、終話音周波数検出信号、スイッチ制御信号の各波形図である。
【図５】従来例を示す概略図である。
【図６】図５における事故発生時の処理フローを示すフローチャートである。
【符号の説明】
【００３６】
１、２、３、４…ＰＨＳ端末
１１、１２、１３、１４…管理要員
２０…ＰＨＳ端末（音声信号を受信する電話機の一例）
２２…建物   
２４…増幅器（パワーアンプ）
２６…スピーカ
３０…終話音ミュート器
３６…入力調整部
３８…第１増幅部
４０…第２増幅部
４２…アナログスイッチ
４４…出力調整部
４６…終話音周波数検出部
４８…スイッチ制御部
【図１】
2005260882.tif 000003
【図２】
2005260882.tif 000004
【図３】
2005260882.tif 000005
【図４】
2005260882.tif 000006
【図５】
2005260882.tif 000007
【図６】
2005260882.tif 000008